(57)【要約】ヒンジ留めされた蓋（１３）を有する強固なタイプのラッパ（１）は、ラッパ（１）の容器（１１）及び蓋（１３）を形成することが意図されている主部（４５）と、付属部（５０）とを備えている平坦なダイカットブランク（４２）で形成されている。付属部（５０）は、第一部分（５１）と、接続アーム（５２）が主部（５９）及びブランクの第一部分（５１）それぞれとそれに沿ってヒンジ留めされている、予め折り目の付けられた第一及び第二の折り目線（５３、５４）において両端部で終わっている二つの接続アーム（５２）として見える。接続アーム（５２）が主部（４５）を覆って二重に曲げられる位置へ、予め折り目の付けられた第一折り目線（５３）の各々回りで接続アーム（５２）を回転させ、同時に、第一部分（５１）の処理面が主部（４５）の非処理面を覆って二重に曲げられる位置へ、予め折り目の付けられた第二折り目線（５４）回りで付属部（５０）の第一部分（５１）を回転させることによって、フレーム（２３）が完成する。
2004516032.tif 000002
【特許請求の範囲】
【請求項１】
ほぼ平行六面体形状に見えるラッパ（１）は、正面（５）と、後面（６）と、二つの側面（７）と、下端面（８）とを備え、
ヒンジ線（１４）に沿って共に接合される容器（１１）及び蓋（１３）と、Ｕ字形状上縁部（２８）を有するフレーム（２３）とを備え、
ブランク（４２）は、横断軸線（４３）と長手軸線（４４）とを備え、かつ前記容器（１１）及び前記蓋（１３）を形成することが意図されている主部（４５）を備えた、煙草製品用のヒンジ留めされた蓋を有する強固なタイプのラッパ用ブランクにおいて、
前記付属部（５０）は、
前記フレーム（２３）を構成する第一部分（５１）と、
前記主部（４５）と、前記フレーム（２３）を構成する前記第一部分（５１）それぞれへそれに沿って接続アーム（５２）が接合されている、予め折り目の付けられた第一及び第二の折り目線（５３、５４）において両端部で終わっている少なくとも一つの接続アーム（５２）とを備えていることを特徴とするブランク。
【請求項２】
前記付属部（５０）は、前記第一部分（５１）の両側に配置された二つの接続アーム（５２）を備え、前記接続アーム（５２）は、互いに整列された、前記予め折り目の付けられた第一折り目線（５３）の各々と、互いに整列されかつ前記予め折り目の付けられた第一折り目線（５３）と平行に延びている、予め折り目の付けられた第二折り目線（５４）の各々とにおいて両端で終わっている請求項１に記載のブランク。
【請求項３】
前記ラッパ（１）の前記容器（１１）及び前記蓋（１３）を提供することが意図されている前記主部（４５）と前記第一部分（５１）が接合される時に前記Ｕ字形状上縁部（２８）が最終的に面する方向と同じ方向に前記上縁部（２８）が面した状態で前記フレーム（２３）を構成する前記第一部分（５１）が配置されている請求項１又は２に記載のブランク。
【請求項４】
前記主部（４５）は前記横断軸線（４３）上に整列され、前記予め折り目の付けられた第一及び第二の折り目線（５３、５４）は、前記横断軸線（４３）と平行に延びている請求項２に記載のブランク。
【請求項５】
前記主部（４５）は、前記予め折り目の付けられた第一長手方向曲げ領域（５５）によって互いに接合されており、中央パネル（４６）と、前記中央パネル（４６）に隣接した二つの側パネル（４７）とを備え、
前記パネル（４６、４７）は、前記容器（１１）の前記正面部（１５）及び前記側面部（１７）を提供することが意図されている各部分（１５´、１７´）と、前記蓋（１３）の前記正面部（１９）及び前記側面部（２１）を提供することが意図されている各部分（１９´、２１´）とを備え、
前記接続アーム（５２）は、前記容器（１１）の前記側面部（１７）を提供することが意図されている前記側パネル（４７）の前記部分（１７´）の端部へ、前記予め折り目の付けられた第一折り目線（５３）に沿ってヒンジ留めされており、
前記フレーム（２３）を構成する前記第一部分（５１）の前記Ｕ字形状縁部（２８）は、前記Ｕ字形状が前記主部（４５）に向けられた状態で配置されている請求項１〜４に記載のブランク。
【請求項６】
前記主部（４５）は、前記横断軸線（４３）に沿って整列されかつ予め折り目の付けられた第一曲げ領域（５５）の各々によって互いに接合された、中央パネル（４６）と、前記中央パネル（４６）に隣接した二つの側パネル（４７）とを備え、
前記パネル（４６、４７）は、前記容器（１１）の前記正面部（１５）及び前記側面部（１７）を提供することが意図されている各部分（１５´、１７´）と、前記蓋（１３）の前記正面部（１９）及び前記側面部（２１）を提供することが意図されている各部分（１９´、２１´）とを備え、
前記接続アーム（５２）は、前記蓋（１３）の前記側面部（２１）を提供することが意図されている前記側パネル（４７）の前記部分（２１´）の端部へ、前記予め折り目の付けられた第一折り目線（５３）に沿って、ヒンジ留めされ、
前記フレーム（２３）を構成する前記第一部分（５１）の前記Ｕ字形状縁部（２８）は、前記Ｕ字形状が前記主部（４５）から離れて向けられている状態で配置されている請求項１〜４のいずれか１項に記載のブランク。
【請求項７】
前記フレーム（２３）を提供することが意図されている前記付属部（５０）は、予め折り目の付けられた第二長手方向曲げ領域（６６）の各々によって互いに接合された、中央部（６７）と、前記予め折り目の付けられた第二折り目線（５４）に沿って前記接続アーム（５２）に接合され、かつ前記フレーム（２３）の側面部を提供することが意図された、前記接続アーム（５２）上に整列されている二つの側部（６８）とを備え、
前記フレーム（２３）の中央部（６７）は、前記Ｕ字形状縁部（２８）と一致するミシン目線（７０）によって、前記フレーム（２３）の当接片を構成する第一領域（７１）と、前記蓋（１３）の前記正面部（１９）と一致する、前記中央パネル（４６）の前記部分（１９´）の内側に当てられる予定のカットアウト部（７３）を提供する第二領域（７２）とに分割されている請求項１〜４のいずれか１項に記載のブランク。
【請求項８】
前記予め折り目の付けられた第一及び第二の曲げ領域（５５、６６）は、少なくとも一つの折り目線（７４、７５）を備えている請求項７に記載のブランク。
【請求項９】
前記予め折り目の付けられた第一及び第二の曲げ領域（５５、６６）は、予め定められた距離だけ互いに分離されている二つの折り目線（７４、７５）を備えている請求項７に記載のブランク。
【請求項１０】
前記予め折り目の付けられた第一及び第二の曲げ領域（５５、６６）の少なくとも一つは、互いに平行に延びかつ予め定められた距離だけ互いに分離されている複数の折り目線（７８、７９）を備えている請求項７に記載のブランク。
【請求項１１】
前記予め折り目の付けられた第一及び第二の曲げ領域（５５、６６）の少なくとも一つは、前記長手方向折り目線（８１、８３）によって曲げ可能な部分と、中央部とを形成するように、前記中央パネル（４６）及び前記側パネル（４７）の中の少なくとも一つ上及び、前記付属部（５０）の前記二つの側部（６８）の中の少なくとも一つ上において位置決めされている折り目線（８０、８２）を備えている請求項７に記載のブランク。
【請求項１２】
前記付属部（５０）の前記予め折り目の付けられた第二曲げ領域は、予め定められた長さのスロットによって破断されている請求項９〜１１のいずれか１項に記載のブランク。
【請求項１３】
複数の煙草箱を収容することが意図されているカートンを前記ブランクから形成するための請求項１〜１２のいずれか１項に記載のブランク。
【請求項１４】
一つの煙草箱を前記ブランクから形成するための請求項１〜１２のいずれか１項に記載のブランク。
【請求項１５】
横断軸線（４３）と長手軸線（４４）と処理面と非処理面とを備えた平坦なダイカットブランク（４２）から得られ、かつ容器（１１）及び蓋（１３）を形成することが意図されている主部（４５）と、フレーム（２３）を形成することが意図されている付属部（５０）とを備えている、煙草製品用のヒンジ留めされた蓋を有する強固なタイプのラッパの製造手順において、
前記付属部（５０）は、
前記フレーム（２３）を構成する第一部分（５１）と、
前記主部（４５）と、前記フレーム（２３）を構成する前記第一部分（５１）にそれぞれそれに沿って接続アーム（５２）が接合されている前記予め折り目の付けられた第一及び第二の折り目線（５３、５４）において両端部で終わっている少なくとも一つの接続アーム（５２）とを備え、
前記製造手順は、
前記接続アーム（５２）が前記主部（４５）を覆って二重に曲げられている位置へ、前記予め折り目の付けられた第一折り目線（５３）回りで前記接続アーム（５２）を回転させる段階と、
前記第一部分（５１）の処理面が前記主部（４５）の非処理面を覆って二重に曲げられる位置へ、前記予め折り目の付けられた第二折り目線（５４）回りで、前記フレーム（２３）を構成する前記付属部（５０）を回転させる段階とを備えた、煙草製品用のヒンジ留めされた蓋を有する強固なタイプのラッパの製造手順。
【請求項１６】
前記フレーム（２３）を構成する前記付属部（５０）の前記第一部分（５１）を前記予め折り目の付けられた第二折り目線（５４）回りで回転させる段階は、前記予め折り目の付けられた第一折り目線（５３）回りで前記接続アーム（５２）を回転させる段階の間に行われる請求項１５に記載の手順。
【請求項１７】
前記付属部（５０）は、前記第一部分（５１）の両側に配置された二つの接続アーム（５２）を備え、前記接続アーム（５２）は、互いに整列された、前記予め折り目の付けられた第一折り目線（５３）の各々と、互いに整列され、かつ前記予め折り目の付けられた第一折り目線（５３）と平行に延びている、予め折り目の付けられた第二折り目線（５４）の各々において終わっており、
前記接続アーム（５２）が前記主部（４５）を覆って二重に曲げられている位置へ、前記折り目の付いた第一折り目線（５３）の各々回りで前記接続アーム（５２）を回転させる段階と、
同時に、前記第一部分（５１）の処理面が前記主部（４５）の非処理面を覆って二重に曲げられている位置へ、前記予め折り目の付けられた第二折り目線（５４）の各々回りで、前記フレーム（２３）を構成する前記付属部（５０）の前記第一部分（５１）を回転させる段階とを備えた請求項１５又は１６に記載の手順。
【請求項１８】
前記フレーム（２３）を構成する前記付属部（５０）の前記第一部分（５１）は、前記接続アーム（５２）が回転させられる方向と反対方向に前記予め折り目の付けられた折り目線（５４）回りで回転させられる請求項１５〜１７のいずれか１項に記載の手順。
【請求項１９】
前記フレーム（２３）を構成する前記付属部（５０）の前記第一部分（５１）は、前記接続アーム（５２）が回転させられる方向と同じ方向に前記予め折り目の付けられた折り目線（５４）回りで回転させられる請求項１５〜１７のいずれか１項に記載の手順。
【発明の詳細な説明】
【０００１】
発明の属する技術分野
本発明は、煙草製品用の、ヒンジ留めされた蓋を有する強固なタイプのラッパをそれから形成するダイカットブランクに関する。
【０００２】
従来の技術
以下の明細書において語「強固なラッパ」は、複数の煙草箱を収容するように調和されているカートン、又は、広く考えられる一群の煙草又は煙草製品を収容する一つの箱のいずれかを意味するように解釈することができる。
【０００３】
背景技術
一般に、ヒンジ留めされた蓋を有するこのタイプの強固なラッパは、直方体形状の箱形状であり、カートンの場合には複数の煙草箱、又は、一つの煙草箱の場合には、金属箔紙の通常内側ラッパ内で包まれた整頓された群の煙草を保持するように形成されている。
【０００４】
強固なラッパは、容器と、容器の後縁部にヒンジ留めされた蓋とを備え、容器が開いた位置と容器が閉まった位置との間で回転することができる。通常、強固なラッパは、上端面と、下端面と、蓋と容器がそれに沿って接合されている横断ヒンジ線によって二つの部分に分割されている連続したパネルで構成されている後面と、容器の前面及び蓋の前面をそれぞれ構成する二つの別個の部分を備えた前面と、容器の側面及び蓋の側面をそれぞれ構成する二つの別個の部分を備えた二つの側面とを備えている。
【０００５】
容器及び蓋は、厚紙又は同様な材料からなる一つのダイカットブランクを折り曲げることによって一般に形成されている。晒されて見られるであろうラッパの外面を構成するブランクの一側面は、書かれた又は装飾された物の付いた処理面を有し、その一方で、見えない、ラッパの内面を構成する他方の側面は、処理されないままである。
【０００６】
前述のタイプの強固なラッパは、部分的に容器の内側に配置され、かつ容器の正面及び側面の内面と接触して当接し、厚紙又は同様な材料からなる強化フレームを通常備えている。容器から突出しているフレームの部分は、蓋がフレーム部分に接して位置する要素として本質的に機能し、閉位置を占める時に安定して保持されている。
【０００７】
従来技術には、各内側ラッパ内に包まれている数群の煙草が対となっており、強固なラッパを構成するブランクから別個に、連続したストリップの厚紙からフレームが切り取られた、前述のタイプのラッパを製造する手順が含まれている。また、従来技術には、フレームがすでに組み込まれた状態で、平坦なダイカットブランクを使用する必要がある手順が含まれている。
【０００８】
後者の例では、特に、平坦なブランクから形成されている強固なラッパの正面と一致する平坦なブランクの中央パネルが、中間パネルを介して、一つの末端の縁部に沿って強化フレームに付随している、平坦なブランクを使用することが慣習である。
【０００９】
フレームを組み込んでいる第二のタイプのブランクにおいて、フレームが、強固なラッパの側面部と一致する二つの側パネルの縁部に接続されている。ラッパが完成した時、このように準備されたフレームは、二重に曲げられ、前パネルの内面に重畳して接触し、予め定められた位置で留められる。
【００１０】
両方の場合において、曲げ操作の結果、フレームの非処理面は、ラッパの正面及び側面を形成することが意図されているパネルの非処理面と接触させられ、箱が開けられる時、容器から突出しておりかつ晒されて見えるフレームの部分は、非処理面を備え、それは、逆に、フレームが連続したストリップの厚紙から別個に切り取られかつ煙草の群で対になっている場合ではない。
【００１１】
フレームがすでに組み込まれているブランクを使用することに関して、前述の解決手段は、外観の点において欠点があり、さらに、蓋及びフレームの二つの非処理面間で接触しているので、蓋が開けられる及び閉められる時に蓋のスムースな摺動動作が妨げられる。
【００１２】
本発明の目的は、前述の欠点によって影響されない、カートン用又は煙草箱用のヒンジ留めされた蓋を有する強固なタイプのラッパを設けることである。
【００１３】
発明の開示
前述の目的は、ほぼ平行六面体形状に見えるラッパは、正面と、後面と、二つの側面と、下端面とを備え、ヒンジ線に沿って共に接合される容器及び蓋と、Ｕ字形状上縁部を有するフレームとを備え、ブランクは、横断軸線と長手軸線とを備え、かつ容器及び蓋を形成することが意図されている主部を備えた、煙草製品用のヒンジ留めされた蓋を有する強固なタイプのラッパ用ブランクにおいて、付属部は、フレームを構成する第一部分と、主部と、フレームを構成する第一部分それぞれへそれに沿って接続アームが接合されている、予め折り目の付けられた第一及び第二の折り目線において両端部で終わっている少なくとも一つの接続アームとを備えていることを特徴とするブランクにおいて本発明によって実現されている。
【００１４】
本発明は、さらに、煙草製品用の強固なヒンジ留めされたラッパの製造手順に関する。
【００１５】
本発明によれば、横断軸線と長手軸線と処理面と非処理面とを備えた平坦なダイカットブランクから得られ、かつ容器及び蓋を形成することが意図されている主部と、フレームを形成することが意図されている付属部とを備えている、煙草製品用のヒンジ留めされた蓋を有する強固なタイプのラッパの製造手順において、付属部は、フレームを構成する第一部分と、主部と、フレームを構成する第一部分にそれぞれそれに沿って接続アームが接合されている予め折り目の付けられた第一及び第二の折り目線において両端部で終わっている少なくとも一つの接続アームとを備え、製造手順は、接続アームが主部を覆って二重に曲げられている位置へ、予め折り目の付けられた第一折り目線回りで接続アームを回転させる段階と、第一部分の処理面が主部の非処理面を覆って二重に曲げられる位置へ、予め折り目の付けられた第二折り目線回りで、フレームを構成する付属部を回転させる段階とを備えている。
【００１６】
本発明は、添付図面を用いて例としてここで詳細に説明される。
【００１７】
発明の実施の形態
添付図面の図９、１０、１１及び１２を参照すると、参照番号１は、ヒンジタイプの蓋を有するラッパを示している。このラッパは、主長手軸線２を有するほぼ直方体形状を有し、五つの箱４で各々が構成されている二つの列Ｆで一群として配置されている数個の煙草箱４を収容するように形成されたカートン３として図９、１０、１１及び１２の特別な例において具体化されている。
【００１８】
各場合において、一つのラッパ１は、正面５、後面６、二つの側面７、上端面８及び下端面９を備えている。特に図９のラッパを見ると、正面５、後面６及び二つの側面７は、長手軸線２とほぼ平行に延びている関連の鋭い角縁部１０に沿って隣接して接合されている。
【００１９】
ラッパ１は、開放上端部１２と、ヒンジ線１４に沿って容器に接合されておりかつ開位置（図示せず）と開放上端部１２が閉鎖される位置（図９、１０、１１及び１２）の間で回転可能な最上の蓋１３とを有する容器１１を備えている。
【００２０】
より厳密には、容器１１は、相互に対向しかつ平行である正面部１５及び後面部１６と、互いに平行に配置されかつ正面部１５及び後面部１６と直角な二つの側面部１７と、ラッパ１の下端面９と一致する底面部１８とを備えている。
【００２１】
同様に、蓋１３は、正面部１９及び後面部２０と、二つの側面部２１と、ラッパ１の上端面８と一致する上面部２２とを備えている。
【００２２】
二つの正面部１５及び１９が組み合わされてラッパ１の正面５を形成し、二つの後面部１６及び２０が組み合わされてラッパ１の後面６を形成し、対の側面部１７及び２１が組み合わされてラッパ１の各側面７を形成する。
【００２３】
最後に、強固なラッパ１は、容器１１に留められた強化フレーム２３を備え、容器１１の内側に位置決めされる部分２４と、容器から開放上端部１２を通して突出している残りの部分２５とを備えている。この残りの部分２５は、本質的に、蓋１３が接する要素として機能し、閉位置にある時にこの要素によって蓋１３が安定して保持される。
【００２４】
フレーム２３は中央部２６を備え、中央部２６の中のラッパ１の下端面９により近い部分は、同下端面９に向けられかつ下端面９に平行に延びている下縁部２７を備え、中央部２６の中の蓋１３により近い部分は、中央の切取部２９と、蓋１３に向けて上方に延びている二つの側拘束部３０として見える、ほぼＵ字形状を示す上縁部２８を備えている。中央部２６は、拘束部３０及び中央切取部２９が容器から突出するように、内側において容器１１の正面部１５に固定されており、内側において容器１１の側面部１７に固定されているフレーム２３の二つの側部３１と一体である。
【００２５】
フレーム２３の側部３１は、Ｌ字形状であり、各側面部１７から蓋１３に向けて突出している上端部３２と、その横断寸法が上端部３２のそれよりも大きい下端部３３とを備えている。下端部３３は、上縁部３４に沿ってヒンジ留めされており、各垂直パネル３５の上端部が蓋１３に向けられており、残りの下端部が下端面９と同じ平面を占めている線に沿って容器１１の側面部１７にヒンジ留めされている。
【００２６】
中央切取部２９、拘束部３０及び側部３１の上端部３２は、蓋１３が開いた時に晒されて見えるフレーム２３の部分を構成するということを注意すべきである。
【００２７】
一方、図９の例において、ラッパ１の正面５、後面６及び側面７は、鋭い角縁部１０に沿って隣接して接合されており、図９のカートン３は、鋭い角縁部を有する箱４を収容するように形成されている。図１０におけるラッパ１の対応の面５、６、７は、傾斜した長手方向角縁部３６に沿って接合されており、関連のカートン３は、傾斜した角縁部を有する箱４を収容するように形成されており、その一方で、図１１においてラッパ１の面５、６及び７は、丸い長手方向角縁部３７に沿って接合されており、関連のカートン３は、丸い角縁部を有する箱４を収容するように形成されている。
【００２８】
最後に、図１２の例において、ラッパ１の側面７は、相互に平行であり、凸状に形成されており、かつ正面５及び後面６とほぼ直角であるように見える。各側面７は、平坦な中央部３８と、複数の折り目線４０によって内側に曲げ易くされておりかつ鋭い角縁部４１に沿って各正面５及び後面６に接合されている二つの長手方向側バンド３９とを備えている。
【００２９】
特に、図１２のカートン３は、完全な記載のために参照されている国際出願第ＩＴ９９／００２２２号に開示されているタイプの、同様な特徴を備えた箱４を収容するように形成されている。
【００３０】
図１、２、３及び４を参照すると、ラッパ１は、横断軸線４３と、ラッパ１の軸線２に平行に延びている長手軸線４４とを参照することができるほぼＬ字形状の外形の平坦なダイカットブランク４２から形成されている。ブランク４２の各々は、容器１１及び蓋１３を提供することが意図されている主部４５を備えている。主部４５は、横断軸線４３上において中心に置かれており、横断軸線４３に沿って整列されて、中央パネル４６と、中央パネル４６の両側に配置された二つの側パネル４７と、二つの側パネル４７の一方によって中央パネル４６に間接的に接続されている端パネル４８と、他方の側パネル４７に接続されている端フラップ４９とを備えている。ブランク４２は、主部４５に接続されておりかつ長手軸線４４に沿って中央パネル４６に整列された付属部５０をさらに備えている。付属部５０は、フレーム２３を提供することが意図されている第一部分５１と、第一部分５１の両側に配置された二つの接続アーム５２とを備えている。接続アーム５２は、前述の垂直パネル３５と一致し、接続アーム５２の両端部が、予め折り目の付けられた第一の折り目線５３と、予め折り目の付けられた第二の折り目線５４それぞれに沿って、側パネル４７、第一部分５１それぞれに接合されている。予め折り目の付けられた第一及び第二の折り目線５３、５４は、横断軸線４３と全て平行で対で整列されている。
【００３１】
主部４５は、予め折り目の付けられた四つの長手方向の第一曲げ領域５５を備えている。この曲げ領域５５は、横断軸線４３に直角に延びており、ラッパ１の正面５と一致している中央パネル４６と、ラッパ１の側面７と一致する側パネル４７と、ラッパ１の後面６と一致する端パネル４８と、端フラップ４９とを形成している。主部４５は、横断軸線４３と平行に延びかつ端パネル４８に付随した第一端折畳部５７を形成している第一折り目線５６をさらに備え、中央パネル４６に付随した第二端折畳部５８と、各側パネル４７と各々が付随した二つのフラップ５９とをさらに備えている。第二端折畳部５８及びフラップ５９は、第一端折畳部５７の内側に設けられかつそれに固定されている。第二端折畳部５８及びフラップ５９は、第一端折畳部５７と組み合わされてラッパの上端面８を構成する。横断軸線４３に平行に延びている第二の折り目線６０は、端パネル４８に付随した第一端折畳部５７と、中央パネル４６に付随した別の第二端折畳部５８とを形成している。側パネル４７と一致する第二折り目線６０の一部は、前述の、予め折り目の付けられた第一の折り目線５３と同じである。
【００３２】
主部４５は、端パネル４８を横断して延びかつ横断軸線４３と平行でありかつ蓋１３が容器１１にそれに沿って接合されたヒンジ１４として機能する折り目線６１と、側パネル４７及び中央パネル４６を横断して延びているミシン目線６２とをさらに備えている。折り目線６１の端部から延びているミシン目線６２は、付属部５０に向けて角度が付けられかつ一方の側パネル４７を交差している第一足部６３と、横断軸線４３と平行に延びかつ中央パネル４６と交差している第二足部６４と、第一足部６３と対称に配置されかつ付属部５０から離れて角度が付けられかつ他方の側パネル４７と交差する第三足部６３とを備えている。側パネル４７は、容器１１及び蓋１３それぞれの側部１７及び２１を提供することが意図された二つの各部分１７´、２１´に第一足部６３及び第三足部６５によって分割されている。一方、中央パネル４６は、第二足部６４によって、容器１１の正面部１５及び蓋１３の正面部１９を提供することが意図されている二つの部分１５´、１９´に分割されている。
【００３３】
付属部５０は、主部４５の中央パネル４６を境界付けている、予め折り目の付けられた二つの第一長手方向曲げ領域５５と整列されている、予め折り目の付けられた二つの第二長手方向の曲げ領域６６を備えている。付属部５０の第一部分５１は、この曲げ領域６６によって中央部６７と二つの側部６８とに分割される。
【００３４】
フレーム２３の側面部になる予定の側部６８は、Ｌ字形状に見え、前述の接続アーム５２と側部６８を分離する各カット部６９によって生成される。カット部６９は、側部６８が接続アーム５２にそれに沿って接合されている、前述の予め折り目の付けられた折り目線５４と整列されて下端部において終わっている。
【００３５】
中央部６７は、フレーム２３のＵ字形状の上縁部２８を形成するミシン目線７０によって、フレーム２３の当接片を構成する第一領域７１と、蓋１３のための強化要素として機能するように、蓋１３の正面部１９と一致する、中央パネル４６の部分１９´の内側に当てられる予定のカットアウト部７３を備えている第二領域７２とに分割されている。
【００３６】
図１を参照すると、ブランク４２は、図９に示すように、ラッパ１を形成するために使用されており、予め折り目の付けられた曲げ領域５５は、完成したラッパ１において鋭い角縁部１０を形成している一つの折り目線７４で構成されている。
【００３７】
同様に、予め折り目の付けられた第二曲げ領域６６は、ラッパが完成した時に鋭い角縁部を有するフレーム２３を形成している折り目線７５で構成されている。
【００３８】
図２を参照すると、ブランク４２は、図１０で示すラッパ１を形成するために使用されており、予め折り目の付けられた曲げ領域５５は、完成したラッパ１において傾斜した角縁部３６を形成する、互いに平行に延びかつ第一の予め定められた距離だけ分離された二つの折り目線７４で各々が構成されている。同様に、予め折り目の付けられた第二の曲げ領域６６は、ラッパ１が完成した時に傾斜した角縁部を有するフレーム２３を形成している二つの折り目線７７で各々が構成されている。
【００３９】
図３を参照すると、ブランク４２は、図１１で示すラッパ１を形成するために使用されており、予め折り目の付けられた曲げ領域５５は、完成したラッパ１上で丸い角縁部３７を形成する、互いに平行に延びかつ第二の予め定められた距離だけ分離された複数の折り目線７８で各々が構成されている。同様に、予め折り目の付けられた第二の曲げ領域６６は、ラッパが完成した時に丸い角縁部を有するフレーム２３を形成している複数の折り目線７９で各々が構成されている。
【００４０】
図４を参照すると、予め折り目の付けられた曲げ領域５５の各々は、図１２に示すラッパ１の鋭い角縁部４１を形成している折り目線８０と、互いに平行に延び、かつ側パネル４７の中央部３８´を折り目線８０に接続する機能を有する複数の折り目線８１とを備えている。各組の折り目線８０、８１は、図１２に示すラッパ１の一つの長手方向側バンド３９を構成する。同様に、予め折り目の付けられた第二の曲げ領域６６は、各々、一つの折り目線８２と、ラッパが完成した時に側バンド３９によって境界付けられているフレーム２３を形成している複数の折り目線８３とで構成されている。
【００４１】
図１〜４の例において、第一部分５１は、予め折り目の付けられた第二の折り目線５４に沿って接続アーム５２にヒンジ留めされている。接続アーム５２は、予め折り目の折られた第一の折り目線５３に沿って、容器１１の側面部１７になることが意図されている側パネル４７の部分１７´の端部へヒンジ留めされており、この例では、フレーム２３を組み込んでいる第一部分５１のＵ字形状縁部２８は、切取部がブランク４２の主部４５に向けられて配置されている。
【００４２】
添付図面に示されていないブランクの実施例では、接続アーム５２は、予め折り目の付けられた第一の折り目線５３に沿って、蓋１３の側面部２１を提供する側パネル４７の部分２１´の端部にヒンジ留めされており、この例では、フレーム２３を組み込んでいる第一部分５１のＵ字形状縁部２８は、切取部がブランク４２の主部４５から離れて向けられて配置されている。
【００４３】
図１〜４において示されているブランク４２を見ると、付属部５０の予め折り目の付けられた第二の曲げ領域６６は、ラッパに関するフレームの完全な位置決めを可能とするように形成された予め定められた長さのスロット８４によって破断しており、図９の鋭い角縁部１０に沿った歪み、図１０の傾斜した角縁部３６に沿った歪み、図１１の丸い角縁部３７に沿った歪み、同様に、図１２の側バンド３９に沿った歪みを避けるということがわかる。スロット８４は、付属部５０を第二曲げ領域６６に沿ってより正確に曲げることができる点でも役立つ。
【００４４】
図５〜８をここで参照すると、これまで記載してきたブランク４２は、最初、非仕上げ側が最上で平坦であり、反対側では、ラッパ１の部分を構成する予定の処理面が晒されて見えると仮定される。
【００４５】
ブランク４２の主部４５を組付け位置にもたらす時、フレーム２３の処理面がラッパ１の非処理面に与えられてフレーム２３が配置されることを保証するために、本発明による手順は、中央切取部２９、拘束部３０及びフレーム２３の側部３１の上端部３２は、最終的に処理面が外側に向いて配置されるであることが予定されている一連の折り曲げ段階を有する。
【００４６】
これらの折り曲げ段階では、図５において見られかつ矢印Ｆ１で示されているように、予め折り目の付けられた第一折り目線５３の各々の回りで、ブランク４２の主部４５、より正確には側パネル４７と完全に前で接触して係合する位置へ、時計回りに接続アーム５２を回転させる段階が必要である。
【００４７】
接続アーム５２が回転させられる時、図６に示すように、第一部分５１の処理面をブランク４２の主部４５の非処理面と接触させるように、フレーム２３を組み込んでいる付属部５０の第一部分５１は、図５において見られかつ矢印Ｆ２で示されているように、反時計回りに予め折り目の付けられた第二の折り目線５４回りで回転させられる。この位置では、カットアウト部７３は、一層の接着剤と接触するようになり、中央パネル４６の対応部分１９´に速くくっつくように作られており、ラッパ１が破断されて開放される時に蓋１３に取り付けられたままである。
【００４８】
別の解決方法を示す図７の例において、フレーム２３を組み込んでいる付属部５０の第一部分５１は、矢印Ｆ３に示すように、予め折り目の付けられた第二折り目線５４回りで、接続アーム５２が矢印Ｆ３に示すように回転させられる方向と同じ時計方向に回転させられる。
【００４９】
図５の例において、接続アーム５２が、図６において識別できるように側パネル４７と直接的に接触する位置に位置し、その一方、図７及び８の例において、側部６８の一部は、接続アーム５２と側パネル４７の間に挿入されているということがわかる。
【００５０】
前述の両方の例において、ミシン目線７０によって形成されている、Ｕ字形縁部２８の向きは、図１〜４に示す組付け前と図６及び８に示す組付け後の両方において同じままである。
【００５１】
最後に、前述の点から、主パネル４６、４７及び４８が記載した及び図示した以外の方法で配置され、及び／又は、主パネル４６、４７及び４８に関するフレーム又は第一部分５１が異なって配置されて平坦なダイカットブランク４２を具体化することができるということが明らかである。
【００５２】
特に、例として、第一部分５１は、少なくとも一つの接続アーム５２によって、好ましくは一つのみ、側パネル４７又は端パネル４８の側縁部へ接続することができ、端フラップ４９を端パネル４８に付随させることができる。この例では、パネル４７又は４８にそれに沿って接合された折り目線回りで接続アーム５２を回転させることにより、第一部分５１をブランク４２の主本体に最初に接触させ、接続アーム５２にそれに沿って接合される折り目線回りで反対方向に第一部分５１をさらに回転させることにより、第一部分５１を中央パネル４６と接触させる最後の位置にもたらす。
【００５３】
あるいは、さらに、平坦なダイカットブランク４２は、長手軸線のみに沿って延びうる。この場合、フレームを構成する第一部分５１は、二つの接続アーム５２によってブランク４２の端部へ接続されている。
【図面の簡単な説明】
【図１】
本発明によって具体化された平坦なダイカットブランクを示す。
【図２】
本発明によって具体化された平坦なダイカットブランクを示す。
【図３】
本発明によって具体化された平坦なダイカットブランクを示す。
【図４】
本発明によって具体化された平坦なダイカットブランクを示す。
【図５】
図１０のラッパを製造する時に実施される折り曲げ段階において、図２のブランクを略図的及び斜視的に示している。
【図６】
図１０のラッパを製造する時に実施される折り曲げ段階において、図２のブランクを略図的及び斜視的に示している。
【図７】
図１０のラッパを製造する時に実施される折り曲げ段階において、図２のブランクを略図的及び斜視的に示している。
【図８】
図１０のラッパを製造する時に実施される折り曲げ段階において、図２のブランクを略図的及び斜視的に示している。
【図９】
図１のブランクから得られる、本発明の実施例の強固なラッパを略図的及び斜視的に示している。
【図１０】
図２のブランクから得られる、本発明の実施例の強固なラッパを略図的及び斜視的に示している。
【図１１】
図３のブランクから得られる、本発明の実施例の強固なラッパを略図的及び斜視的に示している。
【図１２】
図４のブランクから得られる、本発明の実施例の強固なラッパを略図的及び斜視的に示している。
【国際公開パンフレット】
2004516032.tif 000003
2004516032.tif 000004
2004516032.tif 000005
2004516032.tif 000006
2004516032.tif 000007
2004516032.tif 000008
2004516032.tif 000009
2004516032.tif 000010
2004516032.tif 000011
2004516032.tif 000012
2004516032.tif 000013
2004516032.tif 000014
2004516032.tif 000015
2004516032.tif 000016
2004516032.tif 000017
2004516032.tif 000018
2004516032.tif 000019
2004516032.tif 000020
2004516032.tif 000021
2004516032.tif 000022
2004516032.tif 000023
2004516032.tif 000024
2004516032.tif 000025
2004516032.tif 000026
2004516032.tif 000027
2004516032.tif 000028
2004516032.tif 000029
2004516032.tif 000030
2004516032.tif 000031
2004516032.tif 000032
2004516032.tif 000033
2004516032.tif 000034
2004516032.tif 000035
2004516032.tif 000036
2004516032.tif 000037
【手続補正書】
【提出日】平成15年1月30日(2003.1.30)
【手続補正１】
【補正対象書類名】明細書
【補正対象項目名】請求項１
【補正方法】変更
【補正の内容】
【請求項１】
ほぼ平行六面体形状に見えるラッパ（１）は、正面（５）と、後面（６）と、二つの側面（７）と、下端面（８）とを備え、
ヒンジ線（１４）に沿って共に接合される容器（１１）及び蓋（１３）と、Ｕ字形状上縁部（２８）を有するフレーム（２３）とを備え、
ブランク（４２）は、横断軸線（４３）と長手軸線（４４）とを備え、かつ前記容器（１１）及び前記蓋（１３）を形成することが意図されている主部（４５）を備えた、煙草製品用のヒンジ留めされた蓋を有する強固なタイプのラッパ用ブランクにおいて、
前記ラッパ（１）の前記容器（１１）及び前記蓋（１３）を形成することが意図されている前記主部（４５）は、前記横断軸線（４３）に沿って延びており、前記フレーム（２３）を形成することが意図されている前記付属部（５０）は、前記蓋（１３）、前記正面（５）及び前記二つの側面（７）を形成していることが意図されている前記ブランク（４２）の前記主部（４５）に関して、前記長手軸線（４４）に沿って延びており、前記付属部（５０）は、前記蓋（１３）を形成している部分に関して、前記ラッパ（１）の前記正面（５）を形成する中央パネル（４６）の反対側において延びており、
前記付属部（５０）は、
前記フレーム（２３）を構成する第一部分（５１）と、
前記主部（４５）と、前記フレーム（２３）を構成する前記第一部分（５１）それぞれへそれに沿って接続アーム（５２）が接合されている、予め折り目の付けられた第一及び第二の折り目線（５３、５４）において両端部で終わっている少なくとも一つの接続アーム（５２）とを備えていることを特徴とするブランク。
【手続補正２】
【補正対象書類名】明細書
【補正対象項目名】請求項１５
【補正方法】変更
【補正の内容】
【請求項１５】
横断軸線（４３）と長手軸線（４４）と処理面と非処理面とを備えた平坦なダイカットブランク（４２）から得られ、かつ容器（１１）及び蓋（１３）を形成することが意図されている主部（４５）と、フレーム（２３）を形成することが意図されている付属部（５０）とを備えている、煙草製品用のヒンジ留めされた蓋を有する強固なタイプのラッパの製造手順において、
前記ラッパ（１）の前記容器（１１）及び前記蓋（１３）を形成することが意図されている前記主部（４５）は、前記横断軸線（４３）に沿って延びており、前記フレーム（２３）を形成することが意図されている前記付属部（５０）は、前記蓋（１３）、前記正面（５）及び前記二つの側面（７）を形成していることが意図されている前記ブランク（４２）の前記主部（４５）に関して、前記長手軸線（４４）に沿って延びており、前記付属部（５０）は、前記蓋（１３）を形成している部分に関して、前記ラッパ（１）の前記正面（５）を形成する中央パネル（４６）の反対側において延びており、
前記付属部（５０）は、
前記フレーム（２３）を構成する第一部分（５１）と、
前記主部（４５）と、前記フレーム（２３）を構成する前記第一部分（５１）にそれぞれそれに沿って接続アーム（５２）が接合されている前記予め折り目の付けられた第一及び第二の折り目線（５３、５４）において両端部で終わっている少なくとも一つの接続アーム（５２）とを備え、
前記製造手順は、
前記接続アーム（５２）が前記主部（４５）を覆って二重に曲げられている位置へ、前記予め折り目の付けられた第一折り目線（５３）回りで前記接続アーム（５２）を回転させる段階と、
前記第一部分（５１）の処理面が、前記ラッパの前記正面（５）及び前記蓋（１３）を形成する前記主部（４５）の前記中央パネル（４６）の非処理面を覆って二重に曲げられる位置へ、前記予め折り目の付けられた第二折り目線（５４）回りで、前記フレーム（２３）を構成する前記付属部（５０）を回転させる段階とを備えた、煙草製品用のヒンジ留めされた蓋を有する強固なタイプのラッパの製造手順。
【国際調査報告】
2004516032.tif 000038
2004516032.tif 000039
2004516032.tif 000040